(57)【要約】【課題】日単位、週単位、月単位での測定データのサンプリングの統合情報を表示でき、測定データのサンプリング状況やアラーム情報を直感的に把握できるデータ収集装置を提供すること。【解決手段】２次元表示器の表示画面にはカレンダー表示部とファイル統合表示部が表示され、前記カレンダー表示部には測定データの確認期間を指定するカーソルが設けられるとともに測定データのサンプリング期間が線分で表示され、前記ファイル統合表示部にはカーソルで指定された確認期間のファイル統合情報が表示されることを特徴とするデータ収集装置。【選択図】                    図１
2008298578.tif 000002
【特許請求の範囲】
【請求項１】
２次元表示器の表示画面にはカレンダー表示部とファイル統合表示部が表示され、
前記カレンダー表示部には測定データの確認期間を指定するカーソルが設けられるとともに測定データのサンプリング期間が線分で表示され、
前記ファイル統合表示部にはカーソルで指定された確認期間のファイル統合情報が表示されることを特徴とするデータ収集装置。
【請求項２】
前記カレンダー表示部には、測定データの確認期間の表示対象を選択指定する選択表示領域が設けられていることを特徴とする請求項１記載のデータ収集装置。
【請求項３】
前記ファイル統合情報は、少なくともサンプリングされた測定データファイルの種類、アラーム発生の有無およびメッセージ情報の有無のいずれかを含むことを特徴とする請求項１または請求項２記載のデータ収集装置。
【請求項４】
前記測定データのサンプリング期間を表示する線分上のアラームが発生した時刻の位置にアラームマークが表示されることを特徴とする請求項１から請求項３のいずれかに記載のデータ収集装置。
【請求項５】
前記測定データのサンプリング期間を表示する線分の垂直方向の位置は、各測定データに対応づけられていることを特徴とする請求項１から請求項４のいずれかに記載のデータ収集装置。
【請求項６】
２次元表示器の表示画面にカレンダー表示部とファイル統合表示部が表示されるデータ収集装置であって、
測定データファイルを格納する測定データファイル格納部と、
前記カレンダー表示部のカーソル移動可能範囲内でカーソルを移動させるカーソル操作部と、
前記カレンダー表示部のカーソル移動可能範囲内におけるカーソルの位置を識別するカーソル位置識別部と、
カレンダー表示部とファイル統合表示部に表示される表示対象を選択指定する表示対象選択指定部と、
これらカーソル位置識別部の識別結果および表示対象選択指定部の選択指定情報に基づき前記測定データファイル格納部から該当する測定データファイルを読み出す測定データファイル読出し部と、
これら表示対象選択指定部の選択指定情報および測定データファイル格納部から読み出された測定データファイルに基づき所定のカレンダー表示画面を生成するカレンダー表示生成部と、
これら表示対象選択指定部の選択指定情報および測定データファイル格納部から読み出された測定データファイルに基づき所定のファイル統合表示画面を生成するファイル統合表示生成部、
とで構成されたことを特徴とするデータ収集装置。
【発明の詳細な説明】
【技術分野】
【０００１】
本発明は、データ収集装置に関し、詳しくは、測定データの表示の改良に関するものである。
【背景技術】
【０００２】
データ収集装置の一種に、液晶表示装置やプラズマ表示装置などの２次元表示器を記録紙に見立てた特許文献１に示すようなペーパーレスレコーダがある。ペーパーレスレコーダでは、温度、圧力、流量などの各種物理量をそれぞれの測定対象に適合するセンサで電気信号に変換して測定データとしてデータメモリに格納するとともに、これら変換された電気信号の測定時間の経過に伴う変化の状態を、複数チャネルの連続的な線分によりグラフ的な波形として２次元表示器に表示するように構成されている。
【０００３】
具体的には、複数測定系統の測定信号を例えばサンプリング周期ＴＳでデジタル化してメモリに格納し、このメモリに格納された測定データを各測定系統毎に表示周期ＴＤ（＞ＴＳ）で順次読み出しその表示周期ＴＤ内の測定データの最大値と最小値を各測定系統毎に線分として２次元表示器にグラフ的に表示するように構成されている。
【０００４】
図３は、このような従来のペーパーレスレコーダにおける表示画面例図である。図３において、連続的な線分Ｌ１〜Ｌ６は、複数チャネルＣＨ１〜ＣＨ６の測定信号の比較的低速から比較的高速までの変化状態を、あらかじめ割り当てられた所定の表示色でグラフ的な波形として表すものである。測定状態における表示画面の時間軸は、矢印Ａで示すように、右から左に向かってスクロールする。
【０００５】
ポインタＰ１〜Ｐ６は、各チャネルＣＨ１〜ＣＨ６の測定信号の現在値を示すものであり、各チャネルＣＨ１〜ＣＨ６の測定信号波形の表示色と同色であって、それぞれに割り当てられたチャネル番号が付けられている。これらポインタＰ１〜Ｐ６は、画面上で各測定値の変化に連動して振幅Ｙ軸方向に移動する。
【０００６】
スケールＳＬ１〜ＳＬ６は、各チャネルＣＨ１〜ＣＨ６の測定信号の測定範囲０〜１００％に対応するスケール値を物理量単位とともに示すものであり、各チャネルＣＨ１〜ＣＨ６の測定信号波形の表示色と同色が割り当てられている。
【０００７】
【特許文献１】特開２００１−２１３８５号公報
【０００８】
ところで、このようなデータ収集装置において、図３の表示画面に関連した測定データファイルに着目すると、たとえば最短１ｍｉｎ／ｄｉｖから最長４Ｈ／ｄｉｖまでの広い時間範囲で測定用途に応じた表示周期が設定されて、それぞれの測定データが表示画面上に表示される。
【０００９】
これらの測定データファイルの概要は、必要に応じてたとえば図４に示すように、測定開始時刻スタート１から測定終了時刻エンド２までをファイル単位として、その間のデータ数３とともに一覧表示される。
【００１０】
測定データファイルの波形やアラーム情報などを確認したい場合には、操作パネルに設けられている上下カーソルキーを操作してカーソル４を所望の測定データファイル位置まで移動させ、該当する測定データファイルを開く。これにより、表示画面上に選択された測定データファイルの波形やアラーム情報などが表示される。
【発明の開示】
【発明が解決しようとする課題】
【００１１】
しかし、このような従来の測定データファイルの表示は、測定データのサンプリングをいつ行っていたか、また測定データのサンプリングを行っていない期間はいつかなどの情報が直感的にわかりにくく、日単位、週単位、月単位などでアラームが発生したかどうかなどもすぐにわからないという問題点もある。
【００１２】
さらに、レコーダなどのデータ収集装置では、測定データのサンプリングを１日のみならず１週間や1ヵ月など長期間にわたって行うことも多く、測定データのサンプリングに関する週単位や月単位での統合情報も提供できることが望まれている。
【００１３】
特開２０００−３０８００５号公報には、格納されている画像データの縮小画像を１ヵ月のカレンダー画面の１日ごとのマス目に表示させることが開示されているが、週単位や月単位での統合情報の表示については開示されていない。
【００１４】
特開２００６−１３５４３０号公報には、１ヵ月のカレンダー画面とともに週ごとの画像を表示する領域を設けているが、この公報でも週単位や月単位での統合情報の表示については開示されていない。
【００１５】
本発明は、このような従来の問題点に着目したものであり、その目的は、日単位、週単位、月単位での測定データのサンプリングの統合情報を表示でき、測定データのサンプリング状況やアラーム情報を直感的に把握できるデータ収集装置を提供することにある。
【課題を解決するための手段】
【００１６】
このような課題を達成する請求項１の発明は、２次元表示器の表示画面にはカレンダー表示部とファイル統合表示部が表示され、前記カレンダー表示部には測定データの確認期間を指定するカーソルが設けられるとともに測定データのサンプリング期間が線分で表示され、前記ファイル統合表示部にはカーソルで指定された確認期間のファイル統合情報が表示されることを特徴とするデータ収集装置である。
【００１７】
請求項２の発明は、請求項１記載のデータ収集装置において、前記カレンダー表示部には、測定データの確認期間の表示対象を選択指定する選択表示領域が設けられていることを特徴とする。
【００１８】
請求項３の発明は、請求項１または請求項２記載のデータ収集装置において、前記ファイル統合情報は、少なくともサンプリングされた測定データファイルの種類、アラーム発生の有無およびメッセージ情報の有無のいずれかを含むことを特徴とする。
【００１９】
請求項４の発明は、請求項１から請求項３のいずれかに記載のデータ収集装置において、前記測定データのサンプリング期間を表示する線分上のアラームが発生した時刻の位置にアラームマークが表示されることを特徴とする。
【００２０】
請求項５の発明は、請求項１から請求項４のいずれかに記載のデータ収集装置において、前記測定データのサンプリング期間を表示する線分の垂直方向の位置は、各測定データに対応づけられていることを特徴とする。
【００２１】
請求項６の発明は、２次元表示器の表示画面にカレンダー表示部とファイル統合表示部が表示されるデータ収集装置であって、測定データファイルを格納する測定データファイル格納部と、前記カレンダー表示部のカーソル移動可能範囲内でカーソルを移動させるカーソル操作部と、前記カレンダー表示部のカーソル移動可能範囲内におけるカーソルの位置を識別するカーソル位置識別部と、カレンダー表示部とファイル統合表示部に表示される表示対象を選択指定する表示対象選択指定部と、これらカーソル位置識別部の識別結果および表示対象選択指定部の選択指定情報に基づき前記測定データファイル格納部から該当する測定データファイルを読み出す測定データファイル読出し部と、これら表示対象選択指定部の選択指定情報および測定データファイル格納部から読み出された測定データファイルに基づき所定のカレンダー表示画面を生成するカレンダー表示生成部と、これら表示対象選択指定部の選択指定情報および測定データファイル格納部から読み出された測定データファイルに基づき所定のファイル統合表示画面を生成するファイル統合表示生成部、とで構成されたことを特徴とする。
【発明の効果】
【００２２】
これらにより、日単位、週単位、月単位での測定データのサンプリングの統合情報を表示でき、測定データのサンプリング状況やアラーム情報を直感的に把握できるデータ収集装置が実現できる。
【発明を実施するための最良の形態】
【００２３】
以下、本発明について、図面を用いて説明する。図１は本発明に基づく表示画面例図である。図１において、表示画面は、カレンダー表示部Ａとファイル統合表示部Ｂとで構成されている。
【００２４】
カレンダー表示部Ａの上部には、年月表示領域５と選択表示領域６が設けられている。
【００２５】
年月表示領域５には、本実施例では、年表示部「２００７」と数字による月表示部「４」と英語による月表示部「ＡＰＲＩＬ」が表示されている。
【００２６】
選択表示領域６は、図２に示す表示対象選択指定部２８で選択指定された表示対象を表示するための領域であり、本実施例では、測定チャネルＣＨ１〜ＣＨ６とアラームＡＬＭが選択的に表示される。
【００２７】
年月表示領域５と選択表示領域６の下部には週・曜日表示領域７が設けられ、週表示部の下部には週表示領域８が設けられ、曜日表示部の下部には日表示領域９が設けられている。
【００２８】
カーソル１０は、本実施例では３週目を選択指定し、サンプリングライン１１はサンプリングが行われた時間帯を表示している。アラームマーク１２はサンプリング中にアラームが発生した時刻を示している。網掛部１３は、翌月の日を示している。なお、カーソル１０は、年月表示領域５の年表示部「２００７」と英語による月表示部「ＡＰＲＩＬ」および週・曜日表示領域７には移動できないようにマスクされている。
【００２９】
ファイル統合表示部Ｂには、カーソル１０をマスクされていない移動可能な所望の位置で移動停止させることにより、該当するカレンダー上の所定期間単位での測定データファイルの統合情報が表示される。すなわち、カーソル１０が日表示領域９内のいずれかに停止しているときは日単位の統合情報が表示され、週表示領域８内のいずれかに停止しているときは週単位の統合情報が表示され、年月表示領域５の数字月に停止しているときは月単位の統合情報が表示される。
【００３０】
ファイル統合表示部Ｂにおいて、ＤＡＴＡはサンプリングされた測定データファイルの種類を表すものであり、「DISPLAY」は表示データありを示し、「EVENT」はイベントデータありを示し、「NONE」はデータなしを示している。
【００３１】
ＡＬＡＲＭはアラームの発生を表すものであり、「ＥＸＩＳＴ」はアラーム情報ありを示し、「NONE」はアラーム情報なしを示している。
【００３２】
ＭＥＳＳＡＧＥはメッセージを入力したかどうかを表すものであり、「ＥＸＩＳＴ」はメッセージ情報ありを示し、「NONE」はメッセージ情報なしを示している。
【００３３】
図２は図１に示すような表示画面を表示させるための具体的なブロック例図である。カーソル操作部２１を操作することにより、カレンダー表示部Ａのマスクされていないカーソル移動可能範囲内でカーソル１０を移動させることができる。
【００３４】
カーソル位置識別部２２は、カレンダー表示部Ａのカーソル移動可能範囲内におけるカーソル１０の位置を識別し、日表示領域９内か週表示領域８内か年月表示領域５の数字月かの識別結果を測定データファイル読出し部２３に入力する。
【００３５】
表示対象選択指定部２４は、選択表示領域６に表示される測定チャネルＣＨ１〜ＣＨ６とアラームＡＬＭを選択指定するものであり、選択指定情報は測定データファイル読出し部２３およびカレンダー表示生成部２６に入力される。
【００３６】
測定データファイル読出し部２３は、カーソル位置識別部２２の識別結果および表示対象選択指定部２４の選択指定情報に基づいて、測定データファイル格納部２５から該当する測定データファイルを読み出し、カレンダー表示生成部２６およびファイル統合表示生成部２７に入力する。
【００３７】
カレンダー表示生成部２６は、表示対象選択指定部２４の選択指定情報に基づいて選択表示領域６に選択指定された測定チャネルＣＨ１〜ＣＨ６とアラームＡＬＭをたとえば高輝度で表示する画像を生成するとともに、これら選択指定された測定チャネルＣＨ１〜ＣＨ６情報に基づいて測定データファイル格納部２５から読み出された測定データのサンプリング期間に対応したサンプリングラインとしての線分１１を表示するように画像を生成し、さらにアラームＡＬＭ情報に基づいて測定データのサンプリング期間に対応した線分１１上の該当時刻の位置にアラームマーク１２を表示するように画像を生成する。
【００３８】
ここで、カレンダー表示部Ａの日表示領域９内のマス目に表示される線分１１の垂直方向の位置をそれぞれの測定チャネルＣＨ１〜ＣＨ６に対応づけることにより、測定チャネル個別の測定データのサンプリング期間を表示させることができる。
【００３９】
また、これら線分１１の表示色を各測定チャネルに割り当てられている色と同色にすることにより、さらに直感的な識別性を高めることができる。
【００４０】
ファイル統合表示生成部２７は、表示対象選択指定部２４の選択指定情報および測定データファイル格納部２５から読み出された測定データファイルに基づいて、日単位、週単位または月単位での図１に示すような測定データのファイル統合表示部Ｂを表示するための画像を生成する。
【００４１】
このように構成することにより、表示部２８には図１に示すような表示画面が表示される。そして、カレンダー表示部Ａ上に選択指定された測定チャネルＣＨ１〜ＣＨ６の測定データのサンプリング期間に対応した線分１１を表示することにより、いつからいつまで測定データのサンプルリングをしていたかのサンプリング期間を直感的に識別確認することができる。
【００４２】
カレンダー表示部Ａに隣接してファイル統合表示部Ｂを設けているので、日単位、週単位または月単位でのファイル統合情報の概要を、確認したい期間の位置にカーソルをあわせるだけで、表示される文言により的確に把握できる。
【００４３】
カレンダー表示部Ａ上に表示される選択指定された測定チャネルＣＨ１〜ＣＨ６の測定データのサンプリング期間に対応した線分１１上のアラームが発生した時刻の位置にアラームマークをつけることで、いつアラームが発生したかを直感的に知ることができる。
【００４４】
なお、表示画面が大きい場合には、測定データのサンプリング期間を表す線分を直線ではなく実際の測定データ波形としてもよい。
【００４５】
また、たとえば波形表示ボタンを設けておき、この波形表示ボタンを押すとファイル統合表示生成部２７に表示される日単位、週単位または月単位でのファイル統合情報に関連する測定データ波形が一時的にカレンダー表示部Ａに表示できるようにしてもよい。
【００４６】
また、上記実施例では、温度、圧力、流量などの各種物理量を測定データとして測定記録するペーパーレスレコーダの例について説明したが、これに限るものではなく、たとえば体重や体脂肪や各種のトレーニングデータなどを測定データとして健康管理に活用することもできる。
【００４７】
以上説明したように、本発明によれば、日単位、週単位、月単位での測定データのサンプリングの統合情報を表示できて測定データのサンプリング状況やアラーム情報を直感的に把握できるデータ収集装置が実現でき、各種分野の測定に好適である。
【図面の簡単な説明】
【００４８】
【図１】本発明に基づく表示画面例図である。
【図２】図１に示すような表示画面を表示させるための具体的なブロック例図である。
【図３】従来のペーパーレスレコーダにおける表示画面例図である。
【図４】従来の測定データファイルの表示例図である。
【符号の説明】
【００４９】
Ａ  カレンダー表示部
Ｂ  ファイル統合表示部
５  年月表示領域
６  選択表示領域
７  週・曜日表示領域
８  週表示領域
９  日表示領域
１０  カーソル
１１  サンプリングライン線分
１２  アラームマーク
１３  網掛部
２１  カーソル操作部
２２  カーソル位置識別部
２３  測定データファイル読出し部
２４  表示対象選択指定部
２５  測定データファイル格納部
２６  カレンダー表示生成部
２７  ファイル統合表示生成部
２８  表示部
【図１】
2008298578.tif 000003
【図２】
2008298578.tif 000004
【図３】
2008298578.tif 000005
【図４】
2008298578.tif 000006